(57)【要約】【課題】皮膚にあてて擦ることにより手や足などに生えた体毛を無駄毛として除去する、取扱性に優れた除毛具。【解決手段】平坦な貼付面を備えている基台と、一面に研磨面、他面に接着剤が塗布されている粘着面を有し、当該粘着面に剥離シートが貼り付けられていて、当該剥離シートを剥がして前記粘着面を前記基台の貼付面に貼り付ける除毛用研磨シートとの組み合わせからなる除毛具。【選択図】図４
0003168631.tif 000002
【実用新案登録請求の範囲】
【請求項１】
平坦な貼付面を備えている基台と、
一面に研磨面、他面に接着剤が塗布されている粘着面を有し、当該粘着面に剥離シートが貼り付けられていて、当該剥離シートを剥がして前記粘着面を前記基台の貼付面に貼り付ける除毛用研磨シートと
の組み合わせからなる除毛具。
【請求項２】
前記基台は前記貼付面が備えられている側の反対側の面に手指挿通用のバンド部を備えていることを特徴とする請求項１記載の除毛具。
【請求項３】
前記基台は前記貼付面が備えられている側の反対側の面に摘み部を備えていることを特徴とする請求項１記載の除毛具。
【考案の詳細な説明】
【技術分野】
【０００１】
この考案は、手や足などに生えた体毛を無駄毛として除去する除毛具に関し、特に、皮膚に当てて擦ることにより無駄毛を除去する取扱容易な除毛具に関する。
【背景技術】
【０００２】
手足などの膚に当てて擦ることにより無駄毛を除去する除毛具については従来から種々の提案が行われている（例えば、特許文献１、２）。
【０００３】
特許文献１で提案されている除毛具は、除毛具の膚に当接する面が、体毛を擦り切る尖形状部を有する研磨粒子と、当該研磨粒子が皮膚に与える刺激を和らげる緩衝粒子とを備えているものである。
【０００４】
特許文献２には、軟質発泡材製の基台の表面に除毛用研磨シートが付着されている除毛具が提案されている。前記の除毛用研磨シートは、研磨材と合成樹脂系のバインダーとを特定の配合比率で基材の表面に付着させたものである。
【先行技術文献】
【特許文献】
【０００５】
【特許文献１】特開２００２−６５３４５号公報
【特許文献２】特開２００８−１３２１４２号公報
【考案の概要】
【考案が解決しようとする課題】
【０００６】
本考案は、手や足などの皮膚に当接させて擦ると、手や足に生えている体毛（無駄毛）を効果的に除去でき、一方、皮膚に当接させて擦った際の感触は良好で、強くこすった場合でも皮膚を傷つけるおそれがほとんどない、取扱性に優れた除毛具を提供することを目的にしている。
【課題を解決するための手段】
【０００７】
請求項１記載の考案は、
平坦な貼付面を備えている基台と、
一面に研磨面、他面に接着剤が塗布されている粘着面を有し、当該粘着面に剥離シートが貼り付けられていて、当該剥離シートを剥がして前記粘着面を前記基台の貼付面に貼り付ける除毛用研磨シートと
の組み合わせからなる除毛具
である。
【０００８】
請求項２記載の考案は、
前記基台は前記貼付面が備えられている側の反対側の面に手指挿通用のバンド部を備えていることを特徴とする請求項１記載の除毛具
である。
【０００９】
請求項３記載の考案は、
前記基台は前記貼付面が備えられている側の反対側の面に摘み部を備えていることを特徴とする請求項１記載の除毛具
である。
【考案の効果】
【００１０】
この考案によれば、手や足などの皮膚に当接させて擦ると、手や足に生えている体毛（無駄毛）を効果的に除去でき、一方、皮膚に当接させて擦った際の感触は良好で、強くこすった場合でも皮膚を傷つけるおそれがほとんどない、取扱性に優れた除毛具を提供することができる。
【図面の簡単な説明】
【００１１】
【図１】（ａ）この考案の除毛具を構成する基台の表側の斜視図、（ｂ）基台の裏側の斜視図。
【図２】（ａ）この考案の除毛具を構成する除毛用研磨シートの粘着面側の平面図、（ｂ）除毛用研磨シートの研磨面側の平面図、（ｃ）剥離シートの剥離線を表す一部を拡大した断面図。
【図３】除毛用研磨シートが基台に貼り付けられる状態を説明する図であって、（ａ）は貼り付けが行われる前の平面図、（ｂ）は貼り付けが行われた後の研磨面の側を表す図。
【図４】本考案の除毛具を用い、除毛用研磨シートの研磨面を腕の膚にあてて擦ることにより無駄毛の除去を行っている状態を説明する斜視図。
【考案を実施するための形態】
【００１２】
以下、添付図面を参照して本考案の好ましい実施形態を説明する。
【００１３】
本考案の除毛具１は、基台２と、除毛用研磨シート３とを組み合わせてなるものである。
【００１４】
基台２は合成樹脂製で平坦な貼付面４を備えている。貼付面４が備えられている側の反対側の面には、手指挿通用のバンド部１０が配備されている。
【００１５】
除毛用研磨シート３は合成樹脂製の薄いシートで、図示の実施形態では、基台２の貼付面４の面積、形状に対応する面積、形状を備えている。
【００１６】
除毛用研磨シート３は、摘み片部３ａを除いて、一面（図２図示の実施形態では符号３ｂで示す側の面）が研磨面５に形成され、他面（２図示の実施形態では符号３ｃで示す側の面）は、接着剤６が塗布されている粘着面７になっている。
【００１７】
粘着面７には切り離し線部９で分割されている剥離シート８ａ、８ｂが貼り付けられている。剥離シート８ａは、除毛用研磨シート３の摘み片部３ａの面積、形状に対応する面積、形状を有する摘み片部８ｃを備えている。なお、本明細書、図面において、剥離シート８ａ、８ｂを総称して「剥離シート８」と表すことがある。
【００１８】
研磨面５は、人間の手足の皮膚に当接させて擦った際に粒度４０００〜１２０００番の研磨材の研磨力が発揮される程度の凹凸面に形成されている。
【００１９】
図示の実施形態では、基台２の貼付面４の周囲は、除毛用研磨シート３が貼付面４に貼り付けられた際に除毛用研磨シート３の周囲を囲む環状縁４ａを備えている。環状縁４ａの厚みは、除毛用研磨シート３の厚さに相当している。
【００２０】
除毛具１を使用するにあたっては、図３（ａ）図示のように、剥離シート８を除毛用研磨シート３の粘着面７から剥がし、除毛用研磨シート３の粘着面７を基台２の貼付面４に貼り付ける（図３（ｂ））。この状態で、基台２の手指挿通用のバンド部１０に図４図示のように指を通し、除毛用研磨シート３の研磨面５を手の皮膚に当接させて擦ると、手に生えている体毛（無駄毛）を効果的に除去できる。一方、除毛用研磨シート３の研磨面５を皮膚に当接させて擦った際の感触は良好で、強くこすった場合でも皮膚を傷つけるおそれはほとんどない。
【００２１】
こうして無駄毛の除去が終わったならば、摘み片部３ａを摘んで除毛用研磨シート３を基台２の貼付面４から引きはがして廃棄し、次回使用する際に、新しい除毛用研磨シート３の粘着面７から剥離シート８を引き剥がし、上記と同様に、除毛用研磨シート３の粘着面７を基台２の貼付面４に貼り付けて使用する。
【００２２】
以上、添付図面を参照して本考案の除毛具を説明したが、本考案は上述し、図示した実施形態に限られるものではなく、実用新案登録請求の範囲の記載から把握される技術的範囲において種々の形態に変更可能である。
【００２３】
例えば、手指挿通用のバンド部１０に替えて、指で摘む摘み部（不図示）を、貼付面４が備えられている側の反対側の面に配備する構成にすることもできる。
【符号の説明】
【００２４】
１  除毛具
２  基台
３  除毛用研磨シート
３ａ  除毛用研磨シートの摘み片部
３ｂ  除毛用研磨シートの一面側
３ｃ  除毛用研磨シートの他面側
４  貼付面
４ａ  環状縁
５  研磨面
６  接着剤
７  粘着面
８（８ａ、８ｂ）  剥離シート
８ｃ  剥離シートの摘み片部
１０  手指挿通用のバンド部
【図１】
0003168631.tif 000003
【図２】
0003168631.tif 000004
【図３】
0003168631.tif 000005
【図４】
0003168631.tif 000006